(57)【要約】【課題】貯留槽を設置する際のレベル出しが容易な、貯留槽の設置方法を提供する。【解決手段】貯留槽の設置方法は、流入口と流出口とを結ぶ液体流路を挟んだ左右両側に液体滞留空間が設けられた貯留槽を基盤上に設置するための、貯留槽の設置方法であって、前記貯留槽の流入側および流出側の少なくとも一方側に高さ調整可能な第１固定具を取り付けて、当該貯留槽の基盤に対する第１の固定を行う、第１固定工程と、前記第１固定具の高さ調整によって前記液体流路の延在方向高さを調整する、第１高さ調整工程と、前記貯留槽の前記左右両側の少なくとも一方側に高さ調整可能な第２固定具を取り付けて、当該貯留槽の基盤に対する第２の固定を行う、第２固定工程と、前記第２固定具の高さ調整によって前記貯留槽の左右方向高さを調整する、第２高さ調整工程と、を含む。【選択図】図２０
2020186554.tif 000002
【特許請求の範囲】
【請求項１】
流入口と流出口とを結ぶ液体流路を挟んだ左右両側に液体滞留空間が設けられた貯留槽を、基盤上に設置するための、貯留槽の設置方法であって、
前記貯留槽の流入側および流出側の少なくとも一方側に高さ調整可能な第１固定具を取り付けて、当該貯留槽の前記基盤に対する第１の固定を行う、第１固定工程と、
前記第１固定具の高さ調整によって前記液体流路の延在方向高さを調整する、第１高さ調整工程と、
前記貯留槽の前記左右両側の少なくとも一方側に高さ調整可能な第２固定具を取り付けて、当該貯留槽の前記基盤に対する第２の固定を行う、第２固定工程と、
前記第２固定具の高さ調整によって前記貯留槽の左右方向高さを調整する、第２高さ調整工程と、
を含む、貯留槽の設置方法。
【請求項２】
前記高さ調整を行う際に、前記貯留槽の天板の上面を、前記液体流路の底面に対する指標面として用いる、請求項１に記載の貯留槽の設置方法。
【請求項３】
前記流入口または前記流出口の一方に配管を接続する配管接続工程をさらに含み、
前記配管接続工程の後に、前記第１固定工程において、前記流入口または前記流出口の他方に前記第１固定具を取り付ける、請求項１または２に記載の貯留槽の設置方法。
【請求項４】
前記配管接続工程において、前記配管を前記流出口に接続し、
前記第１固定工程において、前記第１固定具を前記流入口に取り付ける、請求項３に記載の貯留槽の設置方法。
【請求項５】
前記貯留槽の前記流入口は、流入側に突出しており、前記第１固定工程において、前記第１固定具を、前記流入口を挟み込むように取り付ける、請求項４に記載の貯留槽の設置方法。
【請求項６】
前記配管接続工程において、可撓性を有するフレキシブル管を前記配管に用い、
前記フレキシブル管は、前記流入口または前記流出口の一方から一定の距離を置いて当該フレキシブル管の延在方向で曲げられた状態で、前記基盤に固定される、請求項３に記載の貯留槽の設置方法。
【請求項７】
前記第２固定具は、基盤に接地可能な接地板と、前記接地板を覆うカバーとを有しており、
前記第２固定具は、前記カバーによって前記基盤に取り付けられる、請求項１〜６のいずれか１項に記載の貯留槽の設置方法。
【発明の詳細な説明】
【技術分野】
【０００１】
本発明は、貯留槽の設置方法に関する。
【背景技術】
【０００２】
集合住宅等の排水システムとしては、サイホンの原理を利用したサイホン排水システムと呼ばれるものがある。サイホン排水システムによれば、水廻り機器からの排水を行う際、サイホン排水管に生じたサイホン力により、当該排水を促進させることができる。その一方、サイホン排水システムでは、多量の液体の排水を一度に行うことを想定し、サイホン排水管よりも上流に、排水の促進（サイホン力の発生）が開始されるまでの間、一時的に液体を蓄えることができる貯留槽を設ける必要がある。こうした貯留槽としては、当該貯留槽の流入口と流出口との間に貯留部を設けたものがある（例えば、特許文献１参照。）。
【先行技術文献】
【特許文献】
【０００３】
【特許文献１】特開２０１６−１０８７４６号公報
【発明の概要】
【発明が解決しようとする課題】
【０００４】
上述した貯留槽によれば、液体の流れが流出口付近で阻害されることなく、多くの液体を迅速かつスムーズに流出させることができる。
【０００５】
一方で、貯留槽の流入口と流出口との液体流路の左右両側に液体滞留空間を設けることが考えられる。こうした貯留槽によれば、貯留槽内の液体流路の長さを抑制しつつ、多くの液体を迅速かつスムーズに流出させることができる。
【０００６】
一方、こうした貯留槽は、流入口が流出口よりも下側に、かつ、左右両側の液体滞留空間が全体としてほぼ水平となるように、液体流路に沿って一定の角度で傾斜させた状態で基盤に対して設置すれば、液体を効率的に排出することができる。
【０００７】
しかしながら、貯留槽の液体流路の左右両側に液体滞留空間を設けた場合、貯留槽を設置する際のレベル出しが容易ではない。特に、基盤が水平ではない場合、貯留槽を設置する際のレベル出しが困難なことがある。
【０００８】
本発明の目的は、貯留槽を設置する際のレベル出しが容易な、貯留槽の設置方法を提供することである。
【課題を解決するための手段】
【０００９】
本発明に係る、貯留槽の設置方法は、流入口と流出口とを結ぶ液体流路を挟んだ左右両側に液体滞留空間が設けられた貯留槽を、基盤上に設置するための、貯留槽の設置方法であって、前記貯留槽の流入側および流出側の少なくとも一方側に高さ調整可能な第１固定具を取り付けて、当該貯留槽の前記基盤に対する第１の固定を行う、第１固定工程と、前記第１固定具の高さ調整によって前記液体流路の延在方向高さを調整する、第１高さ調整工程と、前記貯留槽の前記左右両側の少なくとも一方側に高さ調整可能な第２固定具を取り付けて、当該貯留槽の前記基盤に対する第２の固定を行う、第２固定工程と、前記第２固定具の高さ調整によって前記貯留槽の左右方向高さを調整する、第２高さ調整工程と、を含む。本発明に係る、貯留槽の設置方法によれば、貯留槽を設置する際のレベル出しが容易になる。
【００１０】
本発明に係る、貯留槽の設置方法は、前記高さ調整を行う際に、前記貯留槽の天板の上面を、前記液体流路の底面に対する指標面として用いることが好ましい。この場合、貯留槽を設置する際のレベル出しをより容易に行うことができる。
【００１１】
本発明に係る、貯留槽の設置方法は、前記流入口または前記流出口の一方に配管を接続する配管接続工程をさらに含み、前記配管接続工程の後に、前記第１固定工程において、前記流入口または前記流出口の他方に前記第１固定具を取り付けることが好ましい。この場合、貯留槽を設置する際のレベル出しをより容易に行うことができる。
【００１２】
本発明に係る、貯留槽の設置方法は、前記配管接続工程において、前記配管を前記流出口に接続し、前記第１固定工程において、前記第１固定具を前記流入口に取り付けることが好ましい。この場合、貯留槽を設置する際のレベル出しをより容易に行うことができる。
【００１３】
本発明に係る、貯留槽の設置方法は、前記貯留槽の前記流入口は、流入側に突出しており、前記第１固定工程において、前記第１固定具を、前記流入口を挟み込むように取り付けることが好ましい。この場合、貯留槽を設置する際のレベル出しをより容易に行うことができる。
【００１４】
本発明に係る、貯留槽の設置方法は、前記配管接続工程において、可撓性を有するフレキシブル管を前記配管に用い、前記フレキシブル管は、前記流入口または前記流出口の一方から一定の距離を置いて当該フレキシブル管の延在方向で曲げられた状態で、前記基盤に固定されることが好ましい。この場合、前記貯留槽が前記配管を曲げることによって反発を受けるような接続であっても、当該配管を前記流入口または前記流出口の一方より近い位置において基盤に対して曲げた状態で固定することができる。
【００１５】
本発明に係る、貯留槽の設置方法において、前記第２固定具は、基盤に接地可能な接地板と、前記接地板を覆うカバーとを有しており、前記第２固定具は、前記カバーによって前記基盤に取り付けられることが好ましい。この場合、第２固定具の接地板を基盤に取り付けることなく、当該第２固定具の浮き上がりを防止することができる。
【発明の効果】
【００１６】
本発明によれば、貯留槽を設置する際のレベル出しが容易な、貯留槽の設置方法を提供することができる。
【図面の簡単な説明】
【００１７】
【図１】本発明に係る、貯留槽の設置方法を用いて施工可能な排水システムの一例を一部断面で示す、模式的なシステム図である。
【図２】本発明に係る、貯留槽の設置方法において採用可能な貯留槽の一例であって、当該貯留槽の流入側を、上方から示す斜視図である。
【図３】図２の貯留槽の流出側を、上方から示す斜視図である。
【図４】図２の貯留槽の流入側を示す正面図である。
【図５】図２の貯留槽の流出側を示す背面図である。
【図６】図２の貯留槽を上方から示す平面図である。
【図７】図２の貯留槽を下方から示す底面図である。
【図８】図４のＡ−Ａ断面図である。
【図９】図４のＢ−Ｂ断面図である。
【図１０】図５のＣ−Ｃ断面図である。
【図１１】図２の貯留槽を右側面から示す右側面図である。
【図１２】図２の貯留槽を左側面から示す左側面図である。
【図１３】図６のＤ−Ｄ断面図である。
【図１４】図６のＥ−Ｅ断面図である。
【図１５】図６のＦ−Ｆ断面を流入側から示す斜視図である。
【図１６】図６のＧ−Ｇ断面を流入側から示す斜視図である。
【図１７】図６のＧ−Ｇ断面図である。
【図１８】図６のＨ−Ｈ断面図である。
【図１９】本発明に係る、貯留槽の設置方法において採用可能な貯留槽の他の例であって、当該貯留槽の流入側を、上方から示す斜視図である。
【図２０】本発明の一実施形態に係る、貯留槽の設置方法を説明するためのフローチャートである。
【図２１】図２０のフローに従って設置された、図２の貯留槽の流出側を、上方から示す斜視図である。
【図２２】図２０のフローに従って設置された、図２の貯留槽の流入側を、上方から示す斜視図である。
【図２３】図２２の第１固定具を含む領域を拡大して示す斜視図である。
【図２４】図２２の第２固定具を含む領域を拡大して示す斜視図である。
【発明を実施するための形態】
【００１８】
以下、図面を参照して、本発明の一実施形態に係る、貯留槽の設置方法について詳細に説明をする。
【００１９】
［本発明に係る、貯留槽の設置方法を用いて施工可能な排水システム］
図１は、本発明に係る、貯留槽の設置方法を用いて施工可能な排水システムの一例を一部断面で示す模式的なシステム図である。図１中、符号１００は、本発明に係る、貯留槽の設置方法を用いて施工可能な、排水システムの一例である。本例では、排水システム１００は、サイホン排水システムである。サイホン排水システムは、サイホンの原理を利用した排水システムである。サイホン排水システムによれば、水廻り機器からの排水を行う際、サイホン排水管に生じたサイホン力により、当該排水を促進させることができる。サイホン排水システムは、例えば、１棟の建物が複数階に区画された集合住宅の排水システムとして採用される。
【００２０】
本例では、排水システム１００は、水廻り器具１１０と、器具排水管１２０と、本発明の一実施形態に係る貯留槽１と、サイホン排水管１３０と、を備えている。
【００２１】
水廻り器具１１０は、建物の各階に配置されている。水廻り器具１１０としては、例えば、浴槽（例えば、ユニットバス）、洗面台、流し台が挙げられる。本例では、水廻り器具１１０は、浴槽である。
【００２２】
器具排水管１２０は、水廻り器具１１０と貯留槽１とを接続している。本例では、器具排水管１２０は、床下空間Ｓ内に配置されている。本例では、床下空間Ｓは、建築物の床部材１０１と床スラブ１０２との間に形成された空間である。また本例では、器具排水管１２０は、縦方向に延びている上流側部分１２０ａと、横方向に延びている下流側部分１２０ｂとで構成されている。上流側部分１２０ａは、水廻り器具１１０に接続されている。下流側部分１２０ｂは、上流側部分１２０ａに繋がっている。本例では、下流側部分１２０ｂは、上流側部分１２０ａから下流に向かうに従って下方に傾斜している。下流側部分１２０ｂは、貯留槽１に接続されている。なお、本例では、下流側部分１２０ｂの途中に排水トラップ１２１を介在させている。
【００２３】
サイホン排水管１３０は、貯留槽１と立て管１５０とを接続している。立て管１５０は、建物の各階を上下方向に貫く排水管である。本例では、サイホン排水管１３０は、床下空間Ｓ内に配置された横引き管１３０ａと、床スラブ１０２を貫通して下方に垂下している竪管１３０ｂとで構成されている。横引き管１３０ａは、貯留槽１に接続されている。本例では、横引き管１３０ａは、ほぼ水平の無勾配となるように横方向に延びている。詳細には、水廻り器具１１０が設置されている階の床スラブ１０２に沿って、略水平の無勾配で配管されている。竪管１３０ｂは、横引き管１３０ａに繋がっている。竪管１３０ｂは、管継手１４０を介して立て管１５０に接続されている。詳細には、竪管１３０ｂは、横引き管１３０ａの略垂直下方に延在して、垂下部を形成しサイホン力（例えば、負圧力）を発生させる。
【００２４】
本例の排水システム１００では、まず水廻り器具１１０の流出口とサイホン排水管１３０の横引き管１３０ａとの高低差Ｈ１から、水廻り器具１１０から液体を流出させる。水廻り器具１１０から流出した液体（例えば、水）は、当該液体の自重（落下押し込み圧力）によって、器具排水管１２０から貯留槽１に流入する。貯留槽１は、液体の一部を内部に蓄えながら、残りの液体をサイホン排水管１３０に流出させる。
【００２５】
本例において、サイホン排水管１３０は、サイホン力による吸引力を発生させるサイホン排水路を形成する。サイホン排水路では、サイホン排水管１３０内に発生したサイホン力によって、サイホン排水管１３０からの液体の排水を促進させることができる。
【００２６】
本例のサイホン排水路においては、水廻り器具１１０の流出口とサイホン排水管１３０の横引き管１３０ａの高低差Ｈ１による、水廻り器具１１０からの排水の落下押し込み圧力で、器具排水管１２０及びサイホン排水管１３０の横引き管１３０ａを充水させ、サイホン排水管１３０の横引き管１３０ａの充水により、当該サイホン排水管１３０の竪管１３０ｂ（垂下長Ｈ２）に達した排水が当該竪管１３０ｂを落下し始め、サイホン排水管１３０の横引き管１３０ａが満水状態になることで、サイホン作用が発生する。このサイホン作用を排水動力として、サイホン排水路内に発生する高速の流れにより、水廻り器具１１０からの排水が行われ、排水は、管継手１４０の内部へとスムーズかつ速やかに放出される。
【００２７】
本例では、排水システム１００として、サイホン排水システムを採用したことから、排水管内部が満水状態に充填される満流排水となる。このように排水システム１００として、サイホン排水システムを採用すれば、液体の排水が満流排水となるため、管内に固形物が付着するのを防止できると共に、小口径管を使用することができる。また、本例では、排水システム１００として、サイホン排水システムを採用したことから、排水管を無勾配で配置することができる。このように排水システム１００として、サイホン排水システムを採用すれば、排水管を無勾配で配置することができることにより、排水管を配置する床下の空間高さを低くすることが可能になる。また本例では、排水システム１００として、サイホン排水システムを採用したことから、排水元（例えば、各種水廻り器具１１０）から立て管１５０までの延長距離（例えば、水廻り器具１１０の流出口からサイホン排水管１３０の竪管１３０ｂまでの水平長Ｌ）を長くすることができ（図１参照）、ひいては、居室レイアウトの自由度を上げることが可能となる。
【００２８】
ところで、サイホン排水システムを採用した排水システム１００では、水廻り器具１１０から一度に多量の液体の排水が行われることを想定し、器具排水管１２０とサイホン排水管１３０との間に、本発明の一実施形態に係る貯留槽１が設けられている。貯留槽１は、排水の促進（サイホン力の発生）が開始されるまでの間、水廻り器具１１０から一度に排水された多量の水を一時的に蓄えることができる。
【００２９】
［本発明に係る、貯留槽の設置方法において採用可能な貯留槽の一例］
図２は、本発明に係る、貯留槽の設置方法において採用可能な貯留槽の一例としての、貯留槽１Ａであって、当該貯留槽１Ａの流入側を、上方から示す斜視図である。図３は、図２の貯留槽１Ａの流出側を、上方から示す斜視図である。貯留槽１Ａは、液体が流入する流入口Ａ１と、前記液体が流出する流出口Ａ２と、を有し、流入口Ａ１から流入した前記液体を内部に貯留可能である。
【００３０】
図４は、貯留槽１Ａを流入側から示す正面図である。また図５は、貯留槽１Ａを流出側から示す背面図である。図５に示すように、貯留槽１Ａは、底壁１１と、底面に対して起立する周壁１２と、底面に対して起立する２つの仕切壁１３と、を備えている。本例では、貯留槽１Ａは、天壁１４を備えている。天壁１４は、周壁１２の上端と繋がっている。これにより、本例では、貯留槽１Ａの内部には、底壁１１と、周壁１２と、天壁１４と、で区画された空間が形成されている。なお、本例では、周壁１２には、通気口Ｈ１２が形成されている。通気口Ｈ１２は、貯留槽１Ａの内部空間を外界に通じさせる。これにより、貯留槽１Ａの内部が負圧になることを防止する。
【００３１】
図６は、貯留槽１Ａを上方から示す平面図である。図７は、貯留槽１Ａを下方から示す底面図である。図７に示すように、貯留槽１Ａにおいて、周壁１２は、流入口Ａ１が形成されている流入口部分１２ａと、流入口部分１２ａと対向していると共に流出口Ａ２が形成されている流出口部分１２ｂと、を備えている。本例では、周壁１２は、流入口部分１２ａと、流出口部分１２ｂと、流入口部分１２ａと隣接する流入側隣接部分１２ｃと、流出口部分１２ｂと隣接する流出側隣接部分１２ｄと、側面部分１２ｅと、を備えている。更に本例では、周壁１２は、流入側隣接部分１２ｃと側面部分１２ｅとを繋ぐ流入側隅部分１２ｆと、側面部分１２ｅと流出側隣接部分１２ｄとを繋ぐ流出側隅部分１２ｇと、を備えている。
【００３２】
図７に示すように、貯留槽１Ａでは、底壁１１は、周壁１２によって区画されている。図６に示すように、天壁１４も、底壁１１と同様に、周壁１２によって区画されている。なお、本例では、天壁１４は、２つの開口部Ａ３を有している。開口部Ａ３は、貯留槽１Ａの内部空間を外界に通じさせる。また本例では、周壁１２は、天壁１４の側において、流入側隅部分１２ｆ及び流出側隅部分１２ｇのそれぞれの位置において、窪み部１２ｈを有している。
【００３３】
図８は、図４のＡ−Ａ断面図である。図８は、貯留槽１Ａの最大断面である。図９は、図４のＢ−Ｂ断面図である。図９は、流入口Ａ１の中心Ｏａを通る断面である。図１０は、図５のＣ−Ｃ断面図である。図１０は、流出口Ａ２の中心Ｏｂを通る断面である。図８等に示すように、貯留槽１Ａは、流入口Ａ１と流出口Ａ２との間を延在している液体流路Ｒ１と、液体流路Ｒ１を挟んだ左右両側のそれぞれの位置に配置されている液体滞留空間Ｒ２と、を備える。貯留槽１Ａでは、液体流路Ｒ１は、流入口Ａ１と流出口Ａ２とを結び、流入口Ａ１から流入した液体を流出口Ａ２に案内する。液体流路Ｒ１は、平面視で曲線状にしたり、ジグザグ状に延在することも可能である。本実施形態では、液体流路Ｒ１は、図８〜図１０に示すように、直線状に延在している。これにより、液体流路Ｒ１は、流入口Ａ１と流出口Ａ２とを結ぶ液体流路として最短の経路となる。
【００３４】
一方、図８等に示すように、２つの液体滞留空間Ｒ２は、液体流路Ｒ１を挟んだ左右両側のそれぞれの位置にあって、液体流路Ｒ１と隣接する位置に配置されている。２つの液体滞留空間Ｒ２は、それぞれ、流入口Ａ１から流入した液体を滞留させることができる。
【００３５】
また、図８等に示すように、貯留槽１Ａでは、周壁１２の流入口部分１２ａは、流入口部分１２ａと隣接する流入側隣接部分１２ｃよりも流出側に窪んでいる。本例では、図８等に示すように、周壁１２の流入側隣接部分１２ｃは、２つの流入側隅部分１２ｊ及び１２ｉを介して流入口部分１２ａに繋がっている。
【００３６】
また、貯留槽１Ａでは、周壁１２の流出口部分１２ｂは、流出側隣接部分１２ｄよりも流出側に突出している。本例では、図７等に示すように、周壁１２の流出側隣接部分１２ｄは、流出口部分１２ｂに繋がっている。
【００３７】
図１１は、貯留槽１Ａの右側面を示す右側面図である。図１２は、貯留槽１Ａの左側面を示す左側面図である。図１１等に示すように、貯留槽１Ａでは、流入口Ａ１は、周壁１２の流入口部分１２ａ及び流出口部分１２ｂを除く周壁１２よりも下側に位置されている。流出口Ａ２も、流入口Ａ１と同様、周壁１２の流入口部分１２ａ及び流出口部分１２ｂを除く周壁１２よりも下側に位置されている。
【００３８】
図１３は、図６のＤ−Ｄ断面図である。図１３は、貯留槽１Ａを二分する断面である。図１３は、貯留槽１Ａの内部における、液体流路Ｒ１と液体滞留空間Ｒ２との内部構造を示す。図１４は、図６のＥ−Ｅ断面図である。図１４は、貯留槽１Ａの内部における、液体滞留空間Ｒ２の内部構造を示す。図１３に示すように、貯留槽１Ａでは、流入口Ａ１は、周壁１２の流入口部分１２ａに形成された流入路Ｐ１で構成されている。また流出口Ａ２は、周壁１２の流出口部分１２ｂに形成された流出路Ｐ２で構成されている。貯留槽１Ａでは、液体流路Ｒ１は、周壁１２の流入口部分１２ａの内面１２ｆａと、底壁１１のうち、当該底壁１１の下側部分１１ａの内面（底面）１１ｆａと、周壁１２の流出口部分１２ｂの内面１２ｆｂと、流入路Ｐ１と、流出口Ａ２とで構成されている。貯留槽１Ａでは、図１３に示すように、液体流路Ｒ１の底面Ｆ１は、平坦な面で構成されている。本例では、液体流路Ｒ１の底面Ｆ１は、周壁１２の流入口部分１２ａの内面１２ｆａのうち、当該内面１２ｆａの最下端（流入口部分１２ａの液体流通方向に延在する最も下側の延在端）１２ｆａ１と、底壁１１の下側部分１１ａの内面１１ｆａのうち、当該内面１１ｆａの最下端（下側部分１１ａの液体流通方向に延在する最も下側の延在端）１２ｆａ１と、周壁１２の流出口部分１２ｂの内面１２ｆｂのうち、当該内面１２ｆｂの最下端（流出口部分１２ｂの液体流通方向に延在する最も下側の延在端）最下端１２ｆｂ１と、で構成されている。
【００３９】
なお、図１３において、符号１２ｆｐ１は、流入路Ｐ１の最下端（流入路Ｐ１の液体流通方向に延在する最も下側の延在端）である。また符号１２ｆｐ２は、流出口部分１２ｂに形成された流出路Ｐ２の最下端（流出路Ｐ２の液体流通方向に延在する最も下側の延在端）である。図１３等に示すように、貯留槽１Ａでは、底壁１１の下側部分１１ａの最下端（底面）１１ｆａ１は、下流に向かって下方に傾斜しており、流出口Ａ２は、流入口Ａ１よりも低い位置に設けられている。本例実施形態では、液体流路Ｒ１の底面Ｆ１のうち、底面１１ｆａ１は、水平軸（図１３では、水平面を、液体流路Ｒ１を左右方向視したときに現れる直線Ｏｘで示す。）に対して角度θ１１ａで傾斜している。角度θ１１ａは、貯留槽１の内容量、大きさ等に応じて、適宜設定することができる。角度θ１１ａとしては、例えば、０．５°〜５°の角度とすることができる。角度θ１１ａが０．５°以上の場合、流入口Ａ１から流入した液体を、液体流路Ｒ１を通して効果的に流入口Ａ１に流すことができる。また角度θ１１ａが５°以下の場合、傾斜がきつくなりすぎないことから、液体流路Ｒ１を通って流出口Ａ２に流れる液体を、当該流出口Ａ２から効率的に流出させることができる。
【００４０】
一方、図８等に示すように、２つの液体滞留空間Ｒ２は、それぞれ、平面視において、周壁１２のうち、流入口部分１２ａ及び流出口部分１２ｂを除いた周壁１２と、液体流路Ｒ１と、で区画されている。詳細には、２つの液体滞留空間Ｒ２は、それぞれ、平面視において、流入側隅部分１２ｉの内面１２ｆｉと、流入側隅部１２ｊの内面１２ｆｊと、流入側隣接部分１２ｃの内面１２ｆｃと、流入側隅部分１２ｆの内面１２ｆｆと、側面部分１２ｅの内面１２ｆｅと、流出側隅部分１２ｇの内面１２ｆｇと、流出側隣接部分１２ｄの内面１２ｆｄと、液体流路Ｒ１と、で区画されている。更に、２つの液体滞留空間Ｒ２は、それぞれ、図１４等に示すように、底壁１１のうち、当該底壁１１の上側部分１１ｂの内面（底面）１１ｆｂと、天壁１４の下面（内面）１４ｆ１と、で構成されている。なお、貯留槽１Ａでは、図１４に示すように、液体滞留空間Ｒ２の底面Ｆ２は、平坦な面で構成されている。本例では、液体滞留空間Ｒ２の底面Ｆ２は、底壁１１の上側部分１１ｂの内面１１ｆｂで構成されている。
【００４１】
図１５は、図６のＦ−Ｆ断面を流入側から示す斜視図である。Ｆ−Ｆ断面は、天壁１４の２つの開口部Ａ３の中心軸を含む平面の断面である。図１５に示すように、液体流路Ｒ１には、溝部Ｇが配置されている。溝部Ｇは、流入口Ａ１と流出口Ａ２との間に配置されている。図１５等に示すように、貯留槽１Ａでは、溝部Ｇの一部は、底壁１１の下側部分１１ａの内面１１ｆａで形作られている。貯留槽１Ａでは、底壁１１の下側部分１１ａは、底壁１１の上側部分１１ｂに対して窪んでいる。本例では、底壁１１の下側部分１１ａの内面１１ｆａは、最深面１１ｆａ１と２つの側面１１ｆａ２とで構成されている。最深面１１ｆａ１は、底壁１１のうちの、最も深い面（最下端）である。最深面１１ｆａ１は、側面１１ｆａ２を介して、底壁１１の上側部分１１ｂの内面１１ｆｂに繋がっている。最深面１１ｆａ１は、側面１１ｆａ２に対して液体流路Ｒ１の延在方向視で曲線からなる曲面で繋がっている。側面１１ｆａ２は、上側部分１１ｂの内面１１ｆｂに対して液体流路Ｒ１の延在方向視で曲線からなる曲面で繋がっている。
【００４２】
また貯留槽１Ａでは、溝部Ｇの一部は、周壁１２の流出口部分１２ｂの内面１２ｆｂで形作られている。図１１等に示すように、貯留槽１Ａでは、周壁１２の流出口部分１２ｂは、流出口Ａ２が流出側隣接部分１２ｄよりも下側の位置になるように、下側に延在している。図１５に示すように、本実施形態では、周壁１２の流出口部分１２ｂの内面１２ｆｂは、最深面１２ｆｂ１と２つの側面１１ｆｂ２とを含んでいる。最深面１２ｆｂ１は、側面１２ｆｂ２に対して液体流路Ｒ１の延在方向視で曲線からなる曲面で繋がっている。側面１２ｆｂ２は、底壁１１の下側部分１１ａの側面１１ｆａ２と同一平面を構成している。最深面１２ｆｂ１は、周壁１２の流出口部分１２ｂの内面１２ｆｂのうちの、最も深い面（最下端）である。最深面１２ｆｂ１は、底壁１１の下側部分１１ａの最深面１１ｆａ１と同一平面を構成している。また最深面１２ｆｂ１は、側面１２ｆｂ２を介して、仕切壁１３の内面１３ｆ１に繋がっている。側面１２ｆｂ２は、仕切壁１３の内面１３ｆ１と同一平面を構成している。
【００４３】
更に図９等に示すように、貯留槽１Ａでは、溝部Ｇの一部は、周壁１２の流入口部分１２ａの内面１１ｆａで形作られている。図１１等に示すように、貯留槽１Ａでは、周壁１２の流入口部分１２ａは、流入口Ａ１が流入側隣接部分１２ｃよりも下側の位置になるように、下側に延在している。図９に示すように、本例では、周壁１２の流入口部分１２ａの内面１２ｆａは、最深面１２ｆａ１と２つの側面１１ｆａ２とで構成されている。最深面１２ｆａ１は、側面１２ｆａ２に対して液体流路Ｒ１の延在方向視で曲線からなる曲面で繋がっている。側面１２ｆａ２は、底壁１１の下側部分１１ａの側面１１ｆａ２と同一平面を構成している。図１３等に示すように、最深面１２ｆａ１は、周壁１２の流入口部分１２ａの内面１２ｆａのうちの、最も深い面（最下端）である。最深面１２ｆａ１は、底壁１１の下側部分１１ａの最深面１１ｆａ１と同一平面を構成している。また図９等に示すように、最深面１２ｆａ１は、側面１２ｆａ２を介して、流入側隅部分１２ｉの内面１２ｆｉに繋がっている。
【００４４】
図１０等に示すように、２つの仕切壁１３は、流出口Ａ２に向かって延在している。貯留槽１Ａでは、流出口Ａ２を確保するように流出口Ａ２に向かって延在している。ここで、「流出口Ａ２を確保する」とは、「流出口Ａ２の開口を閉じない」ことをいう。
【００４５】
また図１３に示すように、貯留槽１Ａでは、仕切壁１３は、当該仕切壁１３から前記液体が越流可能な高さＨ１３を有している。本例では、仕切壁１３の高さＨ１３は、液体流路Ｒ１の底面Ｆ１からの高さである。これにより、液体流路Ｒ１を通る液体は、当該液体の水頭が一定以上となると、液体滞留空間Ｒ２に流すことができる。
【００４６】
また図１３等に示すように、貯留槽１Ａでは、仕切壁１３の高さＨ１３は、流出口Ａ２に向かうに従って高くなる。図１３等に示すように、本例では、仕切壁１３の頂面１３ｆ２は、側面視の断面形状が流出側に向かって凸の曲線からなる曲面である。図１３に示すように、本例では、仕切壁１３の頂面１３ｆ２の曲線は、曲率半径Ｒ１３で構成されている。
【００４７】
貯留槽１Ａでは、仕切壁１３は、周壁１２の流出口部分１２ｂの一部として構成されている。仕切壁１３は、溝部Ｇと隣接している位置から起立している。図１６は、図６のＧ−Ｇ断面を流入側から示す斜視図である。Ｇ−Ｇ断面は、周壁１２と底壁１１との境界を含む平面の断面である。図１６等に示すように、貯留槽１Ａでは、仕切壁１３の内面１３ｆ１は、周壁１２の流出口部分１２ｂの内面１２ｆｂのうち、当該内面１２ｆｂの側面１２ｆｂ２に繋がっていると共に、当該側面１２ｆｂ２と同一平面を構成している。また貯留槽１Ａでは、周壁１２の流出口部分１２ｂと隣接する当該周壁１２の流出側隣接部分１２ｄの内面１２ｆｄは、仕切壁１３の頂面１３ｆ２に繋がっていると共に、当該仕切壁１３の頂面１３ｆ２と同一面を形作っている。ここで、「同一面」とは、「滑らかに繋がる連続的な面」をいい、「平面」及び「曲面」のいずれの面も含まれる。
【００４８】
図１７は、図６のＧ−Ｇ断面図である。図１７に示すように、貯留槽１Ａでは、仕切壁１３の頂面１３ｆ２の端縁部１３ｅは、貯留槽１Ａの内部に向かって凸の曲面である。
【００４９】
また図１４に示すように、貯留槽１Ａでは、周壁１２の流出側隣接部分１２ｄの内面１２ｆｄは、側面視の断面形状が流出側に向かって凸の曲線からなる曲面である。図１４に示すように、本例では、流出側隣接部分１３ｄの内面１３ｆｄは、底壁１１側の曲線は大きな曲率半径Ｒｄ１１で構成されている。本例では、曲率半径Ｒｄ１１は、仕切壁１３の頂面１３ｆ２の曲線を形作る曲率半径Ｒ１３と同一である。一方、天壁１４側の曲線は、底壁１１側の曲線よりも小さな曲率半径Ｒｄ１４で構成されている。
【００５０】
本願発明者は、鋭意、試験・研究の結果、サイホン排水システムに用いられる貯留槽において、当該貯留槽の流出口付近の液体の水頭を迅速に高めた場合、多くの液体を迅速かつスムーズに流出させることができ、ひいては、サイホン力が発生するまでの時間を短縮できることを見出した。本例に係る貯留槽１Ａは、流出口Ａ２付近の液体の水頭を迅速に高めた場合、多くの液体を迅速かつスムーズに流出させることができることに着目してなされたものである。
【００５１】
図１３等に示すように、本例に係る貯留槽１Ａは、液体が流入する流入口Ａ１と、前記液体が流出する流出口Ａ２と、を有し、流入口Ａ１から流入した前記液体を内部に貯留可能な貯留槽である。貯留槽１Ａは、底面に対して起立する周壁１２と、底面に対して起立する２つの仕切壁１３と、を備えており、周壁１２は、流入口Ａ１が形成されている流入口部分１２ａと、流入口部分１２ａと対向していると共に流出口Ａ２が形成されている流出口部分１２ｂと、を備えている。２つの仕切壁１３は、流出口Ａ２に向かって延在している。
【００５２】
本例に係る貯留槽１Ａによれば、仕切壁１３を設けたことにより、矢印Ｄ１に示すように、流出口Ａ２への液体の流れを確保しつつ、流出口Ａ２付近の液体の水頭を迅速に高めることができる。流入口Ａ１から流入した前記液体（排水）が少量の場合であっても、本例によれば、貯留槽１Ａ内に仕切壁１３を設けたことにより、流出口Ａ２付近の液体の水頭を迅速に高めることができ、結果的に、サイホン起動を発生させ易くなる。例えば、液体が流入口Ａ１から大量に流入する場合であっても、最初の段階において、流出口Ａ２付近に到達する液体は少量である。このように、流出口Ａ２付近の液体が少量であっても、本例によれば、貯留槽１Ａ内に仕切壁１３を設けたことにより、流出口Ａ２付近の液体の水頭を迅速に高めることができ、結果的に、サイホン起動を発生させ易くなる。このため、本例に係る貯留槽１Ａによれば、多くの液体を迅速かつスムーズに流出させることができる。特に本例のように、サイホン排水システムに対して貯留槽１Ａを用いれば、多くの液体を排水する場合であっても、サイホン力が発生するまでの時間を短縮することができる。
【００５３】
また図１３に示すように、本例において、仕切壁１３は、当該仕切壁１３から前記液体が越流可能な高さＨ１３を有している。この場合、流出口Ａ２付近の液体の水頭が一定以上となると、図１６等の矢印Ｄ２に示すように、当該流出口Ａ２付近の液体を仕切壁１３から逃がすことができる。このため、本例によれば、液体の流れが流出口Ａ２付近で阻害され難く、より迅速かつスムーズな排水が可能になる。
【００５４】
また図１３に示すように、本例において、仕切壁１３の高さＨ１３は、流出口Ａ２に向かうに従って高くなっている。この場合、流出口Ａ２付近の液体の水頭を高めつつ、当該流出口Ａ２から離れるに従って、仕切壁１３から逃がす液体の量を増加させることができる。このため、本例によれば、サイホン力が発生するまでの時間の短縮と、スムーズな排水とのバランス（両立）を図ることができる。
【００５５】
また図１３に示すように、本例において、流出口Ａ２は、流入口Ａ１よりも低い位置に設けられている。この場合、より迅速かつスムーズな排水が可能になる。このため、本例によれば、サイホン力が発生するまでの時間をより短縮することができる。
【００５６】
また図１６等に示すように、本例において、仕切壁１３は、周壁１２の流出口部分１２ｂの一部として構成されており、周壁１２の流出口部分１２ｂと隣接する当該周壁１２の流出側隣接部分１２ｄの内面１２ｆｄは、仕切壁１３の頂面１３ｆ２に繋がっていると共に、当該仕切壁１３の頂面１３ｆ２と同一面を形作っている。この場合、矢印Ｄ２に示すように、仕切壁１３から逃がした液体を、周壁１２の流出側隣接部分１２ｄの内面１２ｆｄに沿って更に逃がすことができる。このため、本実施形態によれば、液体の流れが流出口Ａ２付近でより阻害され難く、より迅速かつスムーズな排水が可能となる。
【００５７】
また図１７に示すように、本例において、仕切壁１３の頂面１３ｆ２の端縁部１３ｅは、貯留槽１Ａの内部に向かって凸の曲面である。この場合、矢印Ｄ２に示すように、流出口Ａ２付近の液体を、仕切壁１３から周壁１２の流出側隣接部分１２ｄの内面１２ｆｄに沿って効率的かつスムーズに逃がすことができる。このため、本例によれば、迅速かつスムーズな排水を効率的に行うことが可能となる。
【００５８】
また図１４等に示すように、本例において、周壁１２の流出側隣接部分１２ｄの内面１２ｆｄは、側面視の断面形状が流出側に向かって凸の曲線からなる曲面である。この場合、矢印Ｄ３に示すように、仕切壁１３から逃がした液体を、上下方向（縦方向）の対流（循環）を生じさせながら、周壁１２の流出側隣接部分１２ｄの内面１２ｆｄに沿って更に逃がすことができる。このため、本例によれば、更に迅速かつスムーズな排水が可能となる。
【００５９】
特に図８等に示すように、本例に係る貯留槽１Ａは、流入口Ａ１と流出口Ａ２との間を延在している液体流路Ｒ１と、液体流路Ｒ１を挟んだ両側のそれぞれの位置に配置されている液体滞留空間Ｒ２と、を備えている。この場合、矢印Ｄ１及びＤ２に示すように、液体流路Ｒ１に液体を流しつつ、当該液体の残りを液体滞留空間Ｒ２内に滞留させることができる。このため、本例によれば、液体流路Ｒ１の延在方向長さの長大化を抑制しつつ、より多くの液体を液体滞留空間Ｒ２に貯留することができる。従って、貯留槽１Ａによれば、液体の流れが流出口Ａ２付近で阻害され難く、より多くの液体を迅速かつスムーズな排水を一定量だけ連続して行うことが可能になる。加えて、この場合、液体流路Ｒ１から流れた液体は、矢印Ｄ４に示すように、液体流路Ｒ１と液体滞留空間Ｒ２との間で対流（循環）させることができる。このため、本例によれば、液体流路Ｒ１の延在方向長さの長大化を抑制しつつ、更に多くの液体を迅速かつスムーズに排水することができる。更にこの場合、液体流路Ｒ１から流れた液体が、液体流路Ｒ１と液体滞留空間Ｒ２との間で対流することから、貯留槽１Ａの内部に汚れが付着し難くなる。これにより、貯留槽１Ａの洗浄に必要な作業の回数を削減することができる。
【００６０】
さらに、本例によれば、液体滞留空間Ｒ２は、液体流路Ｒ１を挟んだ両側のそれぞれの位置に配置されているので、液体滞留空間Ｒ２の容積を確保するためには、例えば、当該液体滞留空間Ｒ２が延在する方向の寸法（面積）を大きくするだけで済み、液体滞留空間Ｒ２の高さ、ひいては貯留槽１Ａの高さを高くしないようにすることができる。従って、本例のように、例えば、貯留槽１Ａを、液体流路Ｒ１を挟んだ両側で液体滞留空間Ｒ２が延在する方向を水平方向とし、周壁１２の立設方向が鉛直方向となるように、床スラブ１０２等に設置すれば、床下空間Ｓの高さを大きく確保することなく、多くの液体を迅速かつスムーズに排水することもできる。ここで、「貯留槽１Ａの高さ」とは、貯留槽１Ａの鉛直方向の高さ（寸法）である。言い換えれば、貯留槽１Ａの周壁１２の立設方向の高さ（寸法）である。
【００６１】
上記の観点から、より具体的に例えば、本例では、貯留槽１Ａの高さは、貯留槽１Ａの幅より低くすることができ、好ましくは、貯留槽１Ａの高さは、貯留槽１Ａの幅の１／２以下であり、より好ましくは、貯留槽１Ａの高さは、貯留槽１Ａの幅の１／３以下である。ここで、「貯留槽１の幅」とは、互いに対向する貯留槽１Ａの周壁１２のうち、貯留槽１Ａの高さ方向及び液体流路Ｒ１の延在方向に対して直交する方向の、２つの周壁１２の間の最大幅である。即ち、図８を参照すれば、図面上下方向に配置された貯留槽１Ａにおける２つの周壁（側壁）１２ｅの外面の間の幅（寸法）である。
【００６２】
また図８等に示すように、貯留槽１Ａでは、周壁１２の流入口部分１２ａは、当該流入口部分１２ａと隣接する当該周壁１２の流入側隣接部分１２ｃよりも流出側に窪んでいる。この場合、貯留槽１Ａ内を流れる液体は、液体の流出方向に戻り易くなる。このため、より迅速かつスムーズに排水することができる。特に、本例では、液体滞留空間Ｒ２が液体流路Ｒ１と隣接する位置に配置されているので、液体流路Ｒ１から流れた液体は、当該液体流路Ｒ１に戻り易くなる。即ち、本例では、液体流路Ｒ１と液体滞留空間Ｒ２との間で効率的に対流させることができる。このため、本例によれば、液体流路Ｒ１を通して多くの液体を、より迅速かつスムーズに排水することができる。また本例では、貯留槽１Ａの内部に汚れが更に付着し難くなる。これにより、貯留槽１Ａの洗浄に必要な作業の回数を更に削減することができる。
【００６３】
また図１６等に示すように、仕切壁１３は、溝部Ｇと隣接している位置から起立している。本例では、溝部Ｇは、液体流路Ｒ１に配置されている。この場合、少量の液体であっても当該液体を溝部Ｇにより迅速に集めることができる。このため、更に迅速かつスムーズな排水が可能になる。本例では、仕切壁１３は、液体流路Ｒ１に配置された溝部Ｇと隣接している位置から起立している。この場合、少量の液体であっても当該液体を液体流路Ｒ１に迅速に集めることができる。このため、本例によれば、液体流路Ｒ１通して多くの液体を、更に迅速かつスムーズに排水することができる。特に、この場合、仕切壁１３は、液体流路Ｒ１に配置された溝部Ｇと隣接している位置から起立しているため、流出口Ａ２付近の液体の水頭をより迅速に高めることができる。このため、本例によれば、液体流路Ｒ１を通して多くの液体を、更に一層迅速かつスムーズに排水することができる。
【００６４】
また図８等に示すように、貯留槽１Ａでは、周壁１２の内面１２ｆのうち、平面視で貯留槽１Ａの内部に隅部を形作る当該周壁１２の内面１２ｆは、平面視の輪郭形状が曲線からなる曲面である。本例では、例えば、流入側隅部分１２ｉの内面１２ｆｉ、流入側隅部分１２ｊの内面１２ｆｊ及び流入側隅部分１２ｆの内面１２ｆｆ、流出側隅部分１２ｇの内面１２ｆｇは、それぞれ、平面視の輪郭形状が曲線からなる曲面である。この場合、液体流路Ｒ１から流れた液体を、液体流路Ｒ１と液体滞留空間Ｒ２との間でより効率的に対流させることができる。従って、本例によれば、多くの液体をより一層スムーズに排水することができると共に、貯留槽１Ａの洗浄に必要な作業の回数を更に一層削減することができる。
【００６５】
ところで、本願発明者は、鋭意、試験・研究の結果、サイホン排水システムに用いられる貯留槽において、当該貯留槽の流出口付近に液体を集めた場合も、多くの液体を迅速かつスムーズに流出させることができ、ひいては、サイホン力が発生するまでの時間を短縮できることを見出した。本例に係る貯留槽１Ａは、流出口Ａ２付近に液体を集めた場合、多くの液体を迅速かつスムーズに流出させることができることに着目してなされたものである。
【００６６】
貯留槽１Ａでは、周壁１２の流出口部分１２ｂは、周壁１２の前記流出口部分１２ｂと隣接する当該周壁１２の流出側隣接部分１２ｄよりも流出側に突出している。この場合、流出口Ａ２付近に液体を集め易い構造となる。このため、本例によれば、多くの液体を迅速かつスムーズに流出させることができる。特に本例のように、サイホン排水システムに対して貯留槽１Ａを用いれば、多くの液体を排水する場合であっても、サイホン力が発生するまでの時間を短縮することができる。
【００６７】
図１８は、図６のＨ−Ｈ断面図である。Ｈ−Ｈ断面は、周壁１２の流出側隣接部分１２ｄの上端を含む平面の断面である。図１８に示すように、貯留槽１Ａでは、周壁１２の流出口部分１２ｂの内面１２ｆｂは、液体流通方向視の断面形状がレーストラック形状である。この場合、流出口Ａ２付近に液体をより集め易い構造となる。本例では、レーストラック形状は、横方向（水平方向）に延びる偏平な形状である。例示的なレーストラック形状としては、片側に１つの中心Ｏ１が配置された片側単心円のレーストラック形状、片側に２つの中心Ｏ１及び中心Ｏ２が配置された片側二心円のレーストラック形状、片側に３つの中心Ｏ１、中心Ｏ２及び中心Ｏ３が配置された片側三心円のレーストラック形状が挙げられる。更に片側三心円のレーストラック形状としては、３つの中心Ｏ１〜Ｏ３が整列した片側正三心円のレーストラック形状、２つの中心Ｏ１及び中心Ｏ３との間の１つの中心Ｏ２が外側に配置された片側鋭三心円のレーストラック形状、２つの中心Ｏ１及び中心Ｏ３との間の１つの中心Ｏ２が内側に配置された鈍三心円のレーストラック形状が挙げられる。本例では、流出口Ａ２の断面形状は、片側鋭三心円のレーストラック形状に類似する形状である。なお、本例では、１つの中心Ｏ２を挟んだ、２つの中心Ｏ１及び中心Ｏ２が非整列であって、Ａ−Ｂ間は直線である。またそれ以外の間は曲線である。
【００６８】
特に、貯留槽１Ａでは、図８等に示すように、周壁１２の流出口部分１２ｂの内面１２ｆｂは、流出口Ａ２に向かうに従って先細りする曲面を含んでいる。この場合、流出口Ａ２付近に液体をより集め易い構造となる。
【００６９】
ところで、図１７に示すように、貯留槽１Ａでは、液体滞留空間Ｒ２の底面Ｆ２は、液体流路Ｒ１の延在方向視で、液体流路Ｒ１に向かうに従って下方に傾斜し、当該液体流路Ｒ１の底面Ｆ１に繋がる平面である。この場合、液体滞留空間Ｒ２の液体は、当該液体滞留空間Ｒ２の底面Ｆ２を伝って、液体流路Ｒ１に流れ込み易くなる。このため、本例によれば、液体通過領域Ｒ１を通して多くの液体を、よりスムーズに排水することができる。本例では、液体滞留空間Ｒ２の底面Ｆ２は、水平軸（図１７では、水平面を液体流路Ｒ１の延在方向視したときに現れる直線Ｏｙで示す。）に対して角度θ１１ｂで傾斜している。角度θ１１ｂは、貯留槽１の内容量、大きさ等に応じて、適宜設定することができる。角度θ１１ｂとしては、例えば、０．５°〜５°の角度とすることができる。角度θ１１ｂが０．５°以上の場合、より効果的に排水の対流を形成することができる。また角度θ１１ｂが５°以下の場合、傾斜がきつくなりすぎないことから、液体が流出口Ａ２に入りきらずに水が溢れた場合も、当該溢れた液体をより効果的に液体滞留空間Ｒ２に流すことができる。
【００７０】
ところで、貯留槽１Ａでは、図１７に示すとおり、２つの液体滞留空間Ｒ２の底面Ｆ２は、互いに接近するに従って下方に傾斜している。この場合、２つの液体滞留空間Ｒ２の底面Ｆ２の下端を直結すれば、液体流路Ｒ１は、２つの底面Ｆ２の直結部分を溝底とするＶ溝とすることができる。或いは、２つの液体滞留空間Ｒ２の底面Ｆ２の下端を、平面を介して連結すれば、液体流路Ｒ１は、前記平面を溝底とする台形Ｖ溝とすることもできる。これらの液体流路Ｒ１の底面Ｆ１はいずれも２つの液体滞留空間Ｒ２の底面Ｆ２と同一の高さ位置にある。
【００７１】
これに対し、図１３等に示すように、貯留槽１Ａでは、液体流路Ｒ１の底面Ｆ１は、液体滞留空間Ｒ２の底面Ｆ２よりも低い位置に配置されている。この場合、多くの液体を液体流路Ｒ１に集めることができる。このため、本例によれば、液体流路Ｒ１を通して多くの液体を、よりスムーズに排水することができる。本例では、液体流路Ｒ１に溝部Ｇを配置している。流出口Ａ２の最下端１２ｆＰ２が液体滞留空間Ｒ２の底面Ｆ２よりも低い位置に配置されている。
【００７２】
また図１３〜図１７等に示すように、本例では、少なくとも液体滞留空間Ｒ２における周壁１２の内面１２ｆは、周壁１２の延在方向視の断面形状が貯留槽１Ａの内部から外向きに凸の曲線からなる曲面である。この場合、液体流路Ｒ１から流れた液体は、上下方向（縦方向）の対流（循環）が生じながら、周壁１２の流出側隣接部分１２ｄの内面１２ｆｄに沿って更に逃げる。このため、本例によれば、液体流路Ｒ１と液体滞留空間Ｒ２との間の対流をより効率的に行うことができる。従って、本例によれば、多くの液体をより一層スムーズに排水することができると共に、貯留槽１Ａの洗浄に必要な作業の回数を更に一層削減することができる。
【００７３】
また本例では、液体流路Ｒ１は、図４及び図５に示すように、流出口Ａ２が、液体の流通方向視（液体流路Ｒ１の延在方向視）で、流入口Ａ１の少なくとも一部と一直線上に重なるように整列されている。
【００７４】
図４を参照すると、流入口Ａ１及び流出口Ａ２の整列に関する具体例としては、例えば、以下の、（１）〜（３）のいずれかを組み合わせる方法が挙げられる。
（１）流入口Ａ１の中心Ｏａと、流出口１ｂの中心Ｏｂと、を、液体通過領域Ｒ１の延在方向視で、同一の鉛直線Ｏｚ上に整列させる。
（２）流入口Ａ１の内径の大きさ（流入口Ａ１の半径ｒａの大きさ）と、流出口Ａ２の内径の大きさ（流出口Ａ２の半径ｒｂの大きさ）と、を調整する。
（３）流入口Ａ１の中心Ｏａと、流出口Ａ２の中心Ｏｂとの、鉛直方向（鉛直線Ｏｚの方向）の間隔ΔＺを調整する。
【００７５】
本例では、（１）〜（３）の全ての方法を使用して、流出口Ａ２が、液体流路Ｒ１の延在方向視）で、流入口Ａ１の少なくとも一部と一直線上に重なるように整列させている。特に、図４に示すように、本実施形態では、（２）において、流出口Ａ２の内径の大きさが流入口Ａ１の内径の大きさよりも小さくなるように設定している。これにより、流出口Ａ２から流出される液体の量は、流入口Ａ１から流入する液体の量に比べて小さくなる。また本例では、図４に示すように、（３）において、流入口Ａ１の中心Ｏａと、流出口Ａ２の中心Ｏｂとは、流入口Ａ１の開口内下端部に、流出口Ａ２の開口内上端が重なるように、鉛直方向の間隔ΔＺを調整している。
【００７６】
［本発明に係る、貯留槽の設置方法において採用可能な貯留槽の他の例］
図１９は、本発明に係る、貯留槽の設置方法において採用可能な貯留槽の他の例としての、貯留層１Ｂであって、当該貯留槽１Ｂの流入側を、上方から示す斜視図である。本例では、周壁１２は、液体流路Ｒ１と、液体流路Ｒ１の左右両側に配置された２つの液体滞留空間Ｒ２とを取り囲んで、貯留槽１Ｂの外形形状をバタフライ形（Ｈ形）に形作っている。本例では、仕切壁１３は、周壁１２と異なる壁である。
【００７７】
［本発明の一実施形態に係る、貯留槽の設置方法］
図２０は、本発明の一実施形態に係る、貯留槽の設置方法を説明するためのフローチャートである。以下、図２０のフローチャートを参照しつつ、本実施形態に係る、貯留槽の設置方法を説明する。
【００７８】
本実施形態に係る、貯留槽の設置方法ではまず、貯留槽準備工程を行う（Ｓ１）。貯留槽準備工程では、流入口と流出口とを結ぶ液体流路を挟んだ左右両側に液体滞留空間が設けられた貯留槽を準備する。前記貯留槽としては、例えば、図２の貯留槽１Ａ、図１９の貯留槽１Ｂを用いることができる。本実施形態では、図２の貯留槽１Ａを準備する。
【００７９】
次いで、本実施形態に係る、貯留槽の設置方法では、配管接続工程を行う（Ｓ２）。配管接続工程では、前記貯留槽の前記流入口または前記流出口の一方に配管を接続する。本実施形態では、前記配管接続工程において、前記配管を前記貯留槽の前記流出口に接続する。図２１には、貯留槽１Ａの流出口Ａ２に、配管としてサイホン排水管１３０を接続した状態を示す。本実施形態では、サイホン排水管１３０は、スリーブジョイント（接続用スリーブ部材）３０を介して貯留槽１Ａの流出口Ａ２に接続されている。
【００８０】
さらに、本実施形態では、前記配管接続工程において、可撓性を有するフレキシブル管を前記配管に用い、前記フレキシブル管は、前記貯留槽の前記流入口または前記流出口の一方から一定の距離Ｌ３０を置いて当該フレキシブル管の延在方向で曲げられた状態で、基盤に固定される。本実施形態では、図２１に示すように、サイホン排水管１３０としてフレキシブル管を用いている。また、図２１に示すように、本実施形態では、サイホン排水管１３０は、基盤に対して固定されたサドルバンド３１に取り付けられている。これにより、サイホン排水管１３０は、基盤に対して固定することができる。ここで、「基盤」とは、排水システム１００を支える対象物の表面を意味し、土地の表面（地表）はもちろん、スラブ（例えば、コンクリートスラブ）等の基礎の表面を含む。貯留槽１Ａの流出口Ａ２と、当該流出口Ａ２に最も隣接するサドルバンド３１とは、一定の距離Ｌ３０を置いて、サイホン排水管１３０が直線的に延在するように配置されている。本実施形態では、前記一定の距離Ｌ３０は、サイホン排水管１３０が、当該サイホン排水管１３０の延在方向で直線的に延在する長さである。図２２に示すように、本実施形態では、サイホン排水管１３０は、貯留槽１Ａの流出口Ａ２に隣接する数個（この例では２個）のサドルバンド３１によって、サイホン排水管１３０を一定の距離を置いて曲げられている。
【００８１】
なお、本実施形態では、サドルバンド３１は、クランプ式のサドルバンドである。サドルバンド３１は、切り欠き３１ａを有している。これにより、サイホン排水管１３０は、切り欠き３１ａを通してサドルバンド３１に対して着脱させることができる。ただし、本発明によれば、サドルバンド３１の切り欠き３１ａは、省略することができる。また、サドルバンド３１は、例えば、ねじ、ボルト等の締結要素、接着剤等によって、基盤に対して固定することができる。
【００８２】
図２０を参照すれば、次いで、本実施形態に係る、貯留槽の設置方法では、第１固定工程を行う（Ｓ３）。第１固定工程では、前記貯留槽の流入側および流出側の少なくとも一方側に高さ調整可能な第１固定具を取り付けて、当該貯留槽の前記基盤に対する第１の固定を行う。本実施形態では、前記配管接続工程の後に、前記第１固定工程において、前記第１固定具を取り付ける。本実施形態では、前記第１固定工程において、前記第１固定具を前記流入口に取り付ける。図２２には、第１固定具１０を貯留槽１Ａの流入口１Ａに取り付けて、前記基盤に対する第１の固定が行われた状態を示す。ここで、「前記貯留槽の流入側」とは、当該貯留槽の流入口を含む部位は勿論、当該貯留槽の流入口に接続される配管を含む。また、「前記貯留槽の流出側」とは、当該貯留槽の流出口を含む部位は勿論、当該貯留槽の流出口に接続される配管を含む。
【００８３】
本実施形態では、上述のとおり、貯留槽１Ａの流入口１Ａは、流入側に突出しており、前記第１固定工程において、第１固定具１０を、貯留槽１Ａの流入口Ａ１を挟み込むように取り付ける。図６等に示すように、本実施形態では、貯留槽１Ａの流入口部分１２ａは、流入側に突出して、流入口Ａ１を形成している。図２３は、図２２の第１固定具１０を含む領域を拡大して示している。本実施形態では、第１固定具１０は、基盤に対して取り付けられるベース１０ａと、ベース１０ａから起立する２つのシャフト部材１０ｂと、貯留槽１Ａの流入口部分１２ａに取り付けられる取付バンド１０ｃと、を有している。本実施形態では、取付バンド１０ｃは、クランプ式のバンドである。本実施形態では、取付バンド１０ｃは、下側バンド部１０ｃ１と、上側バンド部１０ｃ２とを有している。第１固定具１０は、貯留槽１Ａの流入口部分１２ａを下側バンド部１０ｃ１と、上側バンド部１０ｃ２とで挟み込むことによって、貯留槽１Ａの流入口部分１２ａに取り付けられる。これにより、第１固定具１０は、貯留槽１Ａに対して固定することができる。また、本実施形態では、ベース１０ａは、例えば、ねじ、ボルト等の締結要素、接着剤等によって、基盤に対して固定することができる。これにより、第１固定具１０は、基盤に対して固定することができる。
【００８４】
図２０を参照すれば、次いで、本実施形態に係る、貯留槽の設置方法では、第１高さ調整工程を行う（Ｓ４）。第１高さ調整工程では、前記第１固定具の高さ調整によって前記液体流路の延在方向高さを調整する。
【００８５】
本実施形態では、第１固定具１０は、高さ調整が可能な固定具である。本実施形態では、第１固定具１０は、ねじ式の高さ調整部を有している。本実施形態では、前記高さ調整部は、ナット部材と、ボルト部材と、からなる。高さ調整は、ナット部材によって行う。具体的には、ボルト部材に対してナット部材を時計回りまたは反時計回りに回転させることによって、ボルト部材に対するナット部材の高さを調整する。
【００８６】
本実施形態では、シャフト部材１０ｂは、ボルト部材で構成されている。シャフト部材１０ｂは、取付バンド１０ｃの下側バンド部１０ｃ１および上側バンド部１０ｃ２がシャフト部材１０ｂに沿って上下移動できるように、下側バンド部１０ｃ１および上側バンド部１０ｃ２を貫通している。また、シャフト部材１０ｂには、ナット部材１０ｄが取り付けられている。本実施形態では、ナット部材１０ｄは、第１ナット部材１０ｄ１、第２ナット部材１０ｄ２および第３ナット部材１０ｄ３の３つのナット部材を含む。第１ナット部材１０ｄ１は、高さ調整用部材として機能する。第１ナット部材１０ｄ１は、下側バンド部１０ｃ１の下部と接触することによって、下側バンド部１０ｃ１を介して貯留槽１Ａの流入口部分１２ａ、ひいては流入口１Ａを下側から支持する。これにより、第１ナット部材１０ｄ１を時計回りにまたは反時計回りに回転させれば、液体流路Ｒ１の延在方向高さのうち、流路上流側の高さを調整することができる。第２ナット部材１０ｄ２は、押さえ用部材として機能する。第２ナット部材１０ｄ２は、上側バンド部１０ｃ２の上部に接触させることができる。これにより、第２ナット部材１０ｄ２を第１ナット部材１０ｄ１に接近するように回転させれば、上側バンド部１０ｃ２を介して、貯留槽１Ａの流入口部分１２ａ、ひいては流入口１Ａを下向きに押さえることができる。また、第２ナット部材１０ｄ２を第１ナット部材１０ｄ１から離れるように回転させれば、上側バンド部１０ｃ２を貯留槽１Ａの流入口部分１２ａから上向きに離すことができる。加えて、第３ナット部材１０ｄ３は、位置決め用部材として機能する。第３ナット部材１０ｄ３は、第１ナット部材１０ｄ１の下部に接触させることができる。これにより、第３ナット部材１０ｄ３を第１ナット部材１０ｄ１に接近するように回転させれば、第１ナット部材１０ｄ１の下向きの移動を抑えることができる。
【００８７】
第１固定具１０によれば、第１ナット部材１０ｄ１をシャフト部材１０ｂに沿って上下移動させることにより、液体流路Ｒ１の延在方向高さのうち、流路上流側の高さを調整することができる。この結果、第１固定具１０によれば、第１ナット部材１０ｄ１をシャフト部材１０ｂに沿って上下移動させることにより、液体流路Ｒ１の延在方向高さを調整することができる。これにより、本実施形態によれば、貯留槽１Ａを液体流路Ｒ１の延在方向に沿って流路上流側または流路下流側のいずれか一方に向かって下向きに傾斜するように（好適には、貯留槽１Ａの液体流路Ｒ１が当該液体流路Ｒ１の延在方向に沿って流路下流側に向かって下向きに傾斜するように）レベル出しし、あるいは、貯留槽１Ａを液体流路Ｒ１の延在方向に沿って水平にレベル出しすることができる。ここで、「レベル出し」とは、前記貯留槽の液体流路の延在方向の流路上流側および流路下流側の高さ、ならびに、前記液体流路を挟んだ左右両側の高さを、所望の高さに調整することをいう。特に、本実施形態では、第３ナット部材１０ｄ３を第１ナット部材１０ｄ１に接触させることにより、第１ナット部材１０ｄ１を高さ方向に強固に位置決めすることができる。また、第１固定具１０によれば、第２ナット部材１０ｄ２を第１ナット部材１０ｄ１に対して接近させることにより、貯留槽１Ａの流入口１Ａを挟み込むように、貯留槽１Ａの流入口Ａ１に第１固定具１０を取り付けることができる。さらに、本実施形態において、第１固定具１０によれば、第１ナット部材１０ｄ１および第２ナット部材１０ｄ２を互いに離間させることにより、貯留槽１Ａの流入口Ａ１から第１固定具１０を取り外すことができる。
【００８８】
図２０を参照すれば、次いで、本実施形態に係る、貯留槽の設置方法では、第２固定工程を行う（Ｓ５）。第２固定工程では、前記貯留槽の前記左右両側の少なくとも一方側に高さ調整可能な第２固定具を取り付けて、当該貯留槽の前記基盤に対する第２の固定を行う。図２２には、第２固定具２０を貯留槽１Ａの左右両側のうちの一方側に取り付けて、前記基盤に対する第２の固定が行われた状態を示す。
【００８９】
本実施形態では、前記第２固定工程において、第２固定具２０を、貯留槽１Ａの側面部分１２ｅに取り付ける。図６等に示すように、本実施形態では、貯留槽１Ａの側面部分１２ｅには、４つの張出部１５が設けられている。各張出部１５には、貫通穴１５ａが形成されている。図２４は、図２２の第２固定具２０を含む領域を拡大して示している。本実施形態では、第２固定具２０は、４つの張出部１５のうちの、１つの張出部１５に取り付けられている。本実施形態では、第２固定具２０は、基盤に接地可能な接地板（フランジ）２０ａと、接地板２０ａから起立するシャフト部材２０ｂと、貯留槽１Ａの張出部１５に取り付けられる取付プレート２０ｃと、を有している。本実施形態では、取付プレート２０ｃは、コの字形のプレートである。本実施形態では、取付プレート２０ｃは、下側プレート部２０ｃ１と、上側プレート部２０ｃ２と、下側プレート部２０ｃ１と上側プレート部２０ｃ２と連結する連結プレート部２０ｃ３と、を有している。第２固定具２０は、貯留槽１Ａの張出部１５を下側プレート部２０ｃ１と、上側プレート部２０ｃ２とで挟み込むことによって、貯留槽１Ａの張出部１５に取り付けられる。これにより、第２固定具２０は、貯留槽１Ａに対して固定することができる。なお、本実施形態では、第２固定具２０は、４つの張出部１５のうちの、１つの張出部１５にのみ、取り付けられているが、液体流路Ｒ１の延在方向において同位置の張出部１５、液体流路Ｒ１の延在方向において異なる位置の張出部１５、液体流路Ｒ１を挟んだ左右両側のいずれか一方側の２つの張出部１５、或いは、４つの張出部１５の全てに取り付けられることができる。
【００９０】
さらに、本実施形態では、前記第２固定具は、基盤に接地可能な接地板と、前記接地板を覆うカバーとを有しており、前記第２固定具は、前記カバーによって前記基盤に取り付けられる。図２４には、接地板２０ａがカバー２０ｅによって前記基盤に対して取り付けられた状態を示す。本実施形態では、カバー２０ｅは、ほぼＺ型のアングルプレートである。本実施形態では、カバー２０ｅは、前記基盤に対して取り付けられるベース部２０ｅ１と、接地板２０ａの上方に配置されるカバー本体部２０ｅ２と、ベース部２０ｅ１とカバー本体部２０ｅ２と連結する連結部２０ｅ３と、を有している。本実施形態では、カバー本体部２０ｅ２は、連結部２０ｅ３を介してベース部２０ｅ１と反対方向に突出している。接地板２０ａは、カバー本体部２０ｅ２と基盤とで挟み込むことによって、カバー本体部２０ｅ２と基盤との間に取り付けられる。ベース２０ｅ１は、例えば、ねじ、ボルト等の締結要素、接着剤等によって、基盤に対して固定することができる。これにより、第２固定具２０は、基盤に対して固定することができる。特に、本実施形態では、カバー２０ｅのカバー本体部２０ｅ２には、切り欠き部２０ｅ４が形成されている。図２４に示すように、切り欠き部２０ｅ４は、シャフト部材２０ｂを横から通すことができる。これにより、カバー２０ｅを基盤に対して固定した後も、接地板２０ａとともにシャフト部材２０ｂをカバー２０ｅから取り外すことができる。
【００９１】
図２０を参照すれば、次いで、本実施形態に係る、貯留槽の設置方法では、第２高さ調整工程を行う（Ｓ６）。第２高さ調整工程では、前記第２固定具の高さ調整によって前記貯留槽の左右方向高さを調整する。
【００９２】
本実施形態では、第２固定具２０は、高さ調整が可能な固定具である。本実施形態では、第２固定具２０は、ねじ式の高さ調整部を有している。本実施形態では、前記高さ調整部は、ナット部材と、ボルト部材と、からなる。高さ調整は、ナット部材によって行う。具体的には、ボルト部材に対してナット部材を時計回りまたは反時計回りに回転させることによって、ボルト部材に対するナット部材の高さを調整する。
【００９３】
本実施形態では、シャフト部材２０ｂは、ボルト部材で構成されている。シャフト部材２０ｂは、取付プレート２０ｃの下側プレート部２０ｃ１および上側プレート部２０ｃ２をシャフト部材２０ｂに沿って上下移動させることができるように、張出部１５の貫通穴１５ａとともに下側プレート部２０ｃ１および上側プレート部２０ｃ２を貫通している。また、シャフト部材２０ｂには、ナット部材２０ｄが取り付けられている。本実施形態では、ナット部材２０ｄは、第１ナット部材２０ｄ１および第２ナット部材２０ｄ２の２つのナット部材を含む。第１ナット部材２０ｄ１は、高さ調整用部材として機能する。第１ナット部材２０ｄ１は、取付プレート２０ｃの下側プレート部２０ｃ１の下部と接触することによって、下側プレート部２０ｃ１を介して貯留槽１Ａの張出部１５を下側から支持する。これにより、第１ナット部材２０ｄ１を時計回りにまたは反時計回りに回転させれば、貯留槽１Ａの左右方向高さのうち、当該左右方向高さの一方（本例では、流入口側から見て左側）の高さを調整することができる。第２ナット部材２０ｄ２は、押さえ用部材として機能する。第２ナット部材２０ｄ２は、取付プレート２０ｃの上側プレート部２０ｃ２の上部に接触させることができる。これにより、第２ナット部材２０ｄ２を第１ナット部材２０ｄ１に接近するように回転させれば、取付プレート２０ｃの上側プレート部２０ｃ２を介して、貯留槽１Ａの張出部１５を下向きに押さえることができる。また、第２ナット部材２０ｄ２を第１ナット部材２０ｄ１から離れるように回転させれば、取付プレート２０ｃの上側プレート部２０ｃ２を貯留槽１Ａの張出部１５から上向きに離すことができる。
【００９４】
第２固定具２０によれば、第１ナット部材２０ｄ１をシャフト部材２０ｂに沿って上下移動させることにより、貯留槽１Ａの左右方向高さのうち、当該左右方向高さの一方の高さを調整することができる。この結果、第２固定具２０によれば、第１ナット部材２０ｄ１をシャフト部材２０ｂに沿って上下移動させることにより、液体流路Ｒ１を挟んだ左右両側の高さを調整することができる。これにより、本実施形態によれば、貯留槽１Ａを左右方向に沿って水平にレベル出しし、あるいは、貯留槽１Ａを液体流路Ｒ１を挟んだ左右方向に沿って当該左右方向のいずれか一方に向かって下向きに傾斜するようにレベル出しすることができる。また、第２固定具２０によれば、第２ナット部材２０ｄ２を第１ナット部材２０ｄ１に対して接近させることにより、貯留槽１Ａの張出部１５を挟み込むように、貯留槽１Ａの張出部１５に対して第２固定具２０を取り付けることができる。さらに、本実施形態において、第２固定具２０によれば、第１ナット部材２０ｄ１および第２ナット部材２０ｄ２を互いに離間させることにより、貯留槽１Ａの張出部１５から第２固定具２０を取り外すことができる。
【００９５】
なお、本実施形態において、ナット部材２０ｄには、第１固定具１０の第３ナット部材１０ｄ３と同様の、第３ナット部材２０ｄ３（図示省略）を含めることができる。第３ナット部材２０ｄ３は、第１固定具１０の第３ナット部材１０ｄ３と同様、位置決め用部材として機能する。第３ナット部材２０ｄ３は、第１ナット部材２０ｄ１の下部に接触させることができる。この場合、第１固定具１０の第３ナット部材１０ｄ３と同様、第３ナット部材２０ｄ３を第１ナット部材２０ｄ１に接近するように回転させれば、第１ナット部材２０ｄ１の下向きの移動を抑えることができる。これにより、第３ナット部材２０ｄ３を第１ナット部材２０ｄ１に接触させることにより、第１固定具１０の第３ナット部材１０ｄ３と同様、第１ナット部材２０ｄ１を高さ方向に強固に位置決めすることができる。
【００９６】
貯留槽１Ａのように、液体流路Ｒ１を挟んだ左右両側に液体滞留空間Ｒ２が設けられた貯留槽の場合、貯留槽の四隅を固定したのち、当該四隅のそれぞれで高さ調整を行うことが考えられる。しかしながら、貯留槽の四隅を固定したのち、当該四隅のそれぞれで高さ調整を行うことは、煩雑な作業となる。また、液体流路Ｒ１を挟んだ左右両側に液体滞留空間Ｒ２が設けられた貯留槽の場合、液体流路Ｒ１の周りに回転しやすいことから、作業の手順を誤ると、貯留槽の設置にバランスが悪く、結果的に、煩雑な作業となる。
【００９７】
これに対し、本実施形態に係る、貯留槽の設置方法によれば、上述のとおり流入口Ａ１と流出口Ａ２とを結ぶ液体流路Ｒ１を挟んだ左右両側に液体滞留空間Ｒ２が設けられた貯留槽１Ａを用い、貯留槽１Ａの流入口Ａ１側および流出口Ａ２側の少なくともいずれか一方側を基盤に対して固定したのち、当該固定部分の高さを調整し、その後、貯留槽１Ａの左右両側の少なくともいずれか一方側を基盤に対して固定したのち、当該固定部分の高さを調整することによって、貯留槽１Ａのレベル出しを行う。これにより、貯留槽１Ａの四隅を固定したのち、当該四隅のそれぞれで高さ調整を行う必要がない。また、本実施形態によれば、液体流路Ｒ１の延在方向を最初に固定したのち、液体流路Ｒ１の上流側および下流側の少なくとも一方側の高さ調整を行うため、貯留槽が比較的バランスの取れた状態で、当該貯留槽の固定および高さ調整を行うことができる。このため、本実施形態に係る、貯留槽の設置方法によれば、貯留槽を設置する際のレベル出しが容易になる。
【００９８】
また、本発明に係る、貯留槽の設置方法によれば、前記高さ調整を行う際に、前記貯留槽の天板の上面を、前記液体流路の底面に対する指標面として用いることが好ましい。
【００９９】
前記貯留槽の天板の上面を、前記液体流路の底面に対する指標面として用いれば、前記貯留槽の天板を取り除くことなく、液体流路Ｒ１の底面Ｆ１および液体滞留空間Ｒ２の底面Ｆ２のレイアウトを考慮しながら、高さ調整を行うことができる。したがってこの場合、貯留槽１Ａを設置する際のレベル出しをより容易に行うことができる。特に、図１３を参照すれば、本実施形態では、貯留槽１Ａの天壁１４の上面１４ｆ２を水平に配置したとき、液体流路Ｒ１の底面Ｆ１の、底面１１ｆａ１は、角度θ１１ａで傾斜している。このため、貯留槽１Ａの天壁１４の上面１４ｆ２を指標面として用いれば、液体流路Ｒ１を直接確認することなく、液体流路Ｒ１の延在方向における高さ調整を容易に行うことができる。したがってこの場合、貯留槽１Ａを設置する際の、液体流路Ｒ１の延在方向におけるレベル出しをより容易に行うことができる。具体的には、図２１等に示すように、貯留槽１Ａの天壁１４の上面１４ｆ２に水準器ＳＬを置いて高さ調整を行うだけで、液体流路Ｒ１を直接確認することなく、液体流路Ｒ１の傾きを決めることができる。
【０１００】
また、本発明に係る、貯留槽の設置方法は、前記流入口または前記流出口の一方に配管を接続する配管接続工程を含み、前記配管接続工程の後に、前記第１固定工程において、前記流入口または前記流出口の他方に前記第１固定具を取り付けることが好ましい。貯留槽を固定する前に予め、貯留槽の流入口または流出口の一方に配管を接続しておけば、貯留槽の位置決めを容易に行うことができる。本実施形態では、図２１等に示すように、貯留槽１Ａを固定する前に予め、貯留槽１Ａの流出口Ａ２にサイホン排水管１３０を接続しておく。この場合、貯留槽を設置する際のレベル出しをより容易に行うことができる。なお、本発明によれば、貯留槽１Ａを固定する前に予め、貯留槽１Ａの流入口Ａ１に器具排水管１２０を接続しておくことも可能である。
【０１０１】
特に、本実施形態に係る、貯留槽の設置方法では、前記配管接続工程において、配管（サイホン排水管１３０）を流出口Ａ２に接続し、前記第１固定工程において、第１固定具１０を流入口Ａ１に取り付ける。貯留槽１Ａの流出口Ａ２は、上述のとおり一般的には、流入口Ａ１よりも低い位置にある。このため、貯留槽１Ａを固定する前に予め、貯留槽１Ａの流出口Ａ２に配管を接続すれば、貯留槽１Ａは基盤に対して比較的安定した状態で前記配管を容易に接続することができる。したがって、本実施形態のように、貯留槽１Ａを固定する前に予め、貯留槽１Ａの流出口Ａ２にサイホン排水管１３０を接続すれば、貯留槽１Ａを設置する際のレベル出しをより容易に行うことができる。
【０１０２】
また、本実施形態に係る、貯留槽の設置方法では、貯留槽１Ａの流入口Ａ１が流入側に突出しており、前記第１固定工程において、第１固定具１０を、貯留槽１Ａの流入口Ａ１を挟み込むように取り付ける。貯留槽１Ａの流入口Ａ１を流入側に突出させて当該流入口１Ａを挟み込むように第１固定具１０を取り付ければ、当該第１固定具１０を貯留槽１Ａに対して容易に取り付けることができる。したがって、この場合、貯留槽１Ａを設置する際のレベル出しをより容易に行うことができる。
【０１０３】
また、本発明に係る、貯留槽の設置方法では、可撓性を有するフレキシブル管を前記配管に用い、前記フレキシブル管は、前記流入口または前記流出口の一方から一定の距離を置いて当該フレキシブル管の延在方向で曲げられた状態で、前記基盤に固定されることが好ましい。この場合、前記貯留槽が前記配管を曲げることによって反発を受けるような接続であっても、当該配管を前記流入口または前記流出口の一方より近い位置において基盤に対して曲げた状態で固定することができる。本実施形態に係る、貯留槽の設置方法では、前記配管接続工程において、可撓性を有するフレキシブル管をサイホン排水管１３０に用い、サイホン排水管１３０は、流出口Ａ２から一定の距離Ｌ３０を置いて当該サイホン排水管１３０の延在方向で曲げられた状態で、前記基盤に固定される。この場合、貯留槽１Ａがサイホン排水管１３０を曲げることによって反発を受けるような接続であっても、当該サイホン排水管１３０を流出口Ａ２より近い位置において基盤に対して曲げた状態で固定することができる。なお、上記一定の距離は、例えば、貯留槽、当該貯留槽に接続される配管（フレキシブル管）等に応じて、適宜設定することができる。具体例としては、配管の反力を軽減するため、流出口Ａ２の延長線上３００mmの位置をサドルバンドで固定することができる。
【０１０４】
また、本実施形態に係る、貯留槽の設置方法において、第２固定具２０は、基盤に接地可能な接地板２０ａと、接地板２０ａを覆うカバー２０ｅとを有しており、第２固定具２０は、カバー２０ｅによって基盤に取り付けられる。第２固定具２０の接地板２０ａを基盤に取り付けることなく、当該接地板２０ａを基盤に対して接地させた場合、当該第２固定具２０が基盤に対して浮き上がることが想定される。この浮き上がりは、例えば、液体流路Ｒ１からの液体が液体滞留空間Ｒ２に流れ込む場合に生じ得る。これに対し、本実施形態のように、第２固定具２０の接地板２０ａをカバー２０ｅで覆い、当該カバー２０ｅを基盤に取り付ければ、第２固定具２０の接地板２０ａを基盤に取り付けることなく、当該接地板２０ａを基盤に接地させただけの場合でも、当該第２固定具２０が基盤に対して浮き上がることがない。したがって、この場合、第２固定具２０の接地板２０ａを基盤に取り付けることなく、当該第２固定具２０の浮き上がりを防止することができる。なお、本実施形態では、第２固定具２０は、ナット部材２０ｄによって高さ調整を行っているが、当該高さ調整は、シャフト部材２０ｂをボルト部材として、張出部１５に対してねじ付ける構成と採用することによって実現することも可能である。この場合、本実施形態のように、接地板２０ａをカバー２０ｅで覆えば、カバー２０ｅを貫通するシャフト部材２０ｂを回転させることにより、高さ調整を行うことができる。
【０１０５】
上述したところは、本発明の例示的な実施形態を説明したものであり、特許請求の範囲を逸脱しない範囲で様々な変更を行うことができる。例えば、第１固定具１０は、貯留槽１Ａの流入口Ａ１または流出口Ａ２に取り付ける他、当該流入口Ａ１または流出口Ａ２に接続される配管に取り付けることができる。また、第１固定具１０は、挟み込みによって取り付けられるものに限定されない。この場合、例えば、第１固定具１０は、貯留槽１Ａの液体流路Ｒ１に沿った任意の部位に取り付けることができる。また、第２固定具２０も、張出部１５に取り付ける他、貯留槽１Ａのうちの、液体流路Ｒ１を挟んだ左右両側のいずれか一方の部位に取り付けることができる。この場合、例えば、貯留槽１Ａの四隅のうち、少なくともいずれか１箇所に取り付けることができる。また排水システム１００の構成は、本実施形態の構成に限定されるものではない。例えば、器具排水管１２０及びサイホン排水管１３０は、それぞれの上流側部分（横引き管）と下流側部分（竪管）とが一体の排水管で説明したが、上流側部分（横引き管）と下流側部分（竪管）とを別体の排水管とし、これらの排水管を互いに接続させることにより、器具排水管１２０又はサイホン排水管１３０とすることができる。
【符号の説明】
【０１０６】
１Ａ：貯留槽，  １Ｂ：貯留槽，  Ａ１：流入口，  Ｐ１：流入路，  Ａ２：流出口，  Ｐ２：流出路，  １ｃ：通気口，  １１：底壁，  １１ａ：底壁の下側部分，  １１ｆａ：底壁の下側部分の内面，  １１ｆａ１：底壁の下側部分の最深面，  １１ｆａ２：底壁の下側部分の側面，  １１ｂ：底壁の上側部分，  １１ｆｂ：底壁の上側部分の内面，  １２：周壁，  １２ａ：周壁の流入口部分，  １２ｆａ：周壁の流入口部分の内面，  １２ｆａ１：周壁の流入口部分の内面の最深面，  １２ｆａ２：周壁の流入口部分の内面の側面，  １２ｂ：周壁の流出口部分，  １２ｆｂ：周壁の流出口部分の内面，  １２ｆｂ１：周壁の流出口部分の内面の最深面，  １２ｆｂ２：周壁の流出口部分の内面の側面，  １２ｃ：周壁の流入口隣接部分，  １２ｆｃ：周壁の流入口隣接部分の内面，  １２ｄ：周壁の流出口隣接部分，  １２ｆｄ：周壁の流出口隣接部分の内面，  １２ｅ：周壁の側面部分，  １２ｆｅ：周壁の側面部分の内面，  １２ｆ：周壁の流入側隅部分，  １２ｆｆ：周壁の流入側隅部分の内面，  １２ｉ：周壁の流入側隅部分，  １２ｆｉ：周壁の流入側隅部分の内面，  １２ｊ：周壁の流入側隅部分，  １２ｆｊ：周壁の流入側隅部分の内面，  １２ｇ：周壁の流出側隅部分，  １２ｆｇ：周壁の流出側隅部分の内面，  １３：仕切壁，  １３ｆ１：仕切壁の側面，  １３ｆ２：仕切壁の頂面，  １３ｅ：仕切壁の頂面の端縁部，  １０：第１固定具，  １０ａ：ベース，  １０ｂ：シャフト部材，  １０ｃ：取付バンド，  １０ｃ１：下側バンド部，  １０ｃ２：上側バンド部，  １０ｄ：ナット部材，  １０ｄ１：第１ナット部材，  １０ｄ２：第２ナット部材，  １０ｄ３：第３ナット部材，  ２０：第２固定具，  ２０ａ：接地板，  ２０ｂ：シャフト部材，  ２０ｃ：取付プレート，  ２０ｃ１：下側プレート部，  ２０ｃ２：上側プレート部，，  ２０ｃ３：連結プレート部，  ２０ｄ：ナット部材，  ２０ｄ１：第１ナット部材，  ２０ｄ２：第２ナット部材，  ２０ｄ３：第３ナット部材，  ２０ｅ：カバー，  ２０ｅ１：ベース部，  ２０ｅ２：カバー本体部，  ２０ｅ３：連結部，  ２０ｅ４：切り欠き部，  ３１：サドルバンド，  ３１ａ：サドルバンドの切り欠き，  Ｒ１：液体流路，  Ｇ：溝部，  Ｆ１：液体流路の底面，  Ｒ２：液体滞留空間，  Ｆ２：液体滞留空間の底面，  ＳＬ：水準器，  １００：排水システム，  １０１：床部材，  １０２：床スラブ，  １１０：水廻り器具，  １２０：器具排水管，  １２０ａ：器具排水管の上流側部分，  １２０ｂ：器具排水管の下流側部分，  １２１：排水トラップ，  １３０：サイホン排水管，  １３０ａ：サイホン排水管の横引き管，  １３０ｂ：サイホン排水管の竪管，  １４０：管継手，  １５０：立て管，  Ｓ：床下空間
【図１】
2020186554.tif 000003
【図２】
2020186554.tif 000004
【図３】
2020186554.tif 000005
【図４】
2020186554.tif 000006
【図５】
2020186554.tif 000007
【図６】
2020186554.tif 000008
【図７】
2020186554.tif 000009
【図８】
2020186554.tif 000010
【図９】
2020186554.tif 000011
【図１０】
2020186554.tif 000012
【図１１】
2020186554.tif 000013
【図１２】
2020186554.tif 000014
【図１３】
2020186554.tif 000015
【図１４】
2020186554.tif 000016
【図１５】
2020186554.tif 000017
【図１６】
2020186554.tif 000018
【図１７】
2020186554.tif 000019
【図１８】
2020186554.tif 000020
【図１９】
2020186554.tif 000021
【図２０】
2020186554.tif 000022
【図２１】
2020186554.tif 000023
【図２２】
2020186554.tif 000024
【図２３】
2020186554.tif 000025
【図２４】
2020186554.tif 000026